(57)【要約】【課題】金属プレートと合成樹脂材との当接部分の面積が小さい場合でも、接合強度を大きく確保する。【解決手段】記録ディスクメディアの下側に配置された金属プレート製の下シェル１２と、記録ディスクメディアの上側に配置された金属プレート製の上シェル１１と、下シェルと上シェルとを接続するとともにカートリッジケースの周壁を構成する合成樹脂製のフレーム部材と、を備え、上シェル１１または／および下シェル１２の、フレーム部材との当接部分に、フレーム部材側よりその反対側が大径であるボス孔１５３と、ボス孔１５３に連続的に形成されフレーム部材との当接部分上で広がる補強溝１５４とを形成し、ボス孔１５３および補強溝１５４内に、フレーム部材に形成されたボス部を変形させて充填した。【選択図】図８
2007149154.tif 000002
【特許請求の範囲】
【請求項１】
記録ディスクメディアと、前記記録ディスクメディアを回転自在に収容するとともに当該記録ディスクメディアを外部に臨ませるためのアクセス用開口部を有するカートリッジケースと、を備える記録ディスクカートリッジであって、
前記記録ディスクメディアの上方に配置されて当該カートリッジケースの上壁部材を構成する金属プレートからなる上シェルと、
前記記録ディスクメディアの下方に配置されて当該カートリッジケースの下壁部材を構成する金属プレートからなる下シェルと、
前記上シェルと前記下シェルとを接続するとともに前記記録ディスクメディアの半径方向外側において当該カートリッジケースの周壁を構成する合成樹脂製のフレーム部材と、を備え、
前記上シェルまたは／および前記下シェルの、前記フレーム部材との当接部分に、前記フレーム部材側よりその反対側が大径であるボス孔と当該ボス孔に連続的に形成され前記フレーム部材との当接部分上で広がる補強溝とを形成し、
前記ボス孔および前記補強溝内に、前記フレーム部材に形成されたボス部を変形させて充填し、前記上シェルまたは／および前記下シェルと前記フレーム部材とを固定したことを特徴とする記録ディスクカートリッジ。
【請求項２】
前記ボス孔は、前記フレーム部材から離反するに連れて拡径するテーパ部を有しており、
前記補強溝は、前記テーパ部から離反するに連れて浅くなるように構成されたことを特徴とする請求項１に記載の記録ディスクカートリッジ。
【請求項３】
前記ボス部は、加熱して押圧することで変形し、前記ボス孔および前記補強溝へ充填されたことを特徴とする請求項１または請求項２に記載の記録ディスクカートリッジ。
【請求項４】
前記補強溝は、前記ボス孔からその径方向に延出する複数の直線状溝からなり、前記ボス孔と合わせて全体で平面視十字またはＴ字状を呈するように形成されたことを特徴とする請求項１乃至請求項３のいずれか１項に記載の記録ディスクカートリッジ。
【発明の詳細な説明】
【技術分野】
【０００１】
本発明は、記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきているとともに、その記録長はより短くなってきている。
【０００３】
従来の記録ディスクカートリッジとしては、例えば特許文献１に記載のものが知られている。
【０００４】
特許文献１に記載の記録ディスクカートリッジ８００は、図１２の従来図に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００５】
カートリッジケース８１０は、図１２に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００６】
ロータリシャッタ８２０は、円盤状の上シャッタ８２３と下シャッタ８２４とから構成されており、記録ディスクメディア８３０をアクセス用開口部８１３から露出させるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
【０００７】
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【特許文献１】米国特許第６２５６１６８号明細書
【発明の開示】
【発明が解決しようとする課題】
【０００８】
ところで、記録ディスクカートリッジ８００は、図１２に示すように、一部の周端部が記録ディスクメディア８３０の形状に沿って円弧状に形成されているため、上シェル８１１と下シェル８１２は、単なる折り曲げ加工では形成できず、金属プレートにしぼり加工処理を施すことにより、前端部の円弧状の壁部と一体的に形成されている。このように金属プレートにしぼり加工処理を施すと、処理部近傍の金属プレートが引っ張られて、反りなどの歪が発生しやすい。そのため、特に、しぼり加工処理を施した部分の近傍で、上シェル８１１または下シェル８１２と、ロータリシャッタ８２０とが干渉して、ロータリシャッタ８２０の回動が妨げられてしまうといった問題があった。
【０００９】
そこで、本発明者らは、金属プレートからなる上シェルおよび下シェルの間に、これら各シェルを接続するとともに記録ディスクメディアの半径方向外側を略囲んでカートリッジケースの側壁を構成する合成樹脂製のフレーム部材を設けた記録ディスクカートリッジを開発している。このような構造によれば、上シェルおよび下シェルにしぼり加工を施す必要がなく、カートリッジケースでの歪の発生を防止できる。
【００１０】
この記録ディスクカートリッジでは、上シェルおよび下シェルとフレーム部材との接合は、金属プレートと合成樹脂材との固定方法として公知の技術であるカシメによって行われることが考えられている。
【００１１】
しかしながら、前記構成の記録ディスクカートリッジでは、フレーム部材は、記録ディスクメディアの半径方向外側に配置される幅の薄い部材であるため、フレーム部材と上シェルおよび下シェルとの当接部分は面積が小さい。また、上シェルおよび下シェルに用いられる金属プレートの板厚は薄い。そのため、カシメに利用されるボス孔を大径で形成することができず、フレーム部材と上シェルおよび下シェルとの接合強度を大きく確保するのが困難である。
【００１２】
さらに、記録ディスクカートリッジは、ケースに入れずに露出した状態で持ち運ぶことが想定され、特に、ポケットなどに入れて持ち運ぶ場合には、カートリッジケースにねじれが発生する。一般的な従来のカシメ構造は、ねじれに対して弱く、フレーム部材と上シェルおよび下シェルとの接合強度が小さいのは問題となる。
【００１３】
このような背景に鑑みて本発明がなされたのであり、本発明は、金属プレートと合成樹脂材との当接部分の面積が小さい場合でも、接合強度を大きく確保できる記録ディスクカートリッジを提供することを課題とする。
【課題を解決するための手段】
【００１４】
前記した課題を解決するため、本発明は、記録ディスクメディアと、前記記録ディスクメディアを回転自在に収容するとともに当該記録ディスクメディアを外部に臨ませるためのアクセス用開口部を有するカートリッジケースと、を備える記録ディスクカートリッジであって、前記記録ディスクメディアの上方に配置されて当該カートリッジケースの上壁部材を構成する金属プレートからなる上シェルと、前記記録ディスクメディアの下方に配置されて当該カートリッジケースの下壁部材を構成する金属プレートからなる下シェルと、前記上シェルと前記下シェルとを接続するとともに前記記録ディスクメディアの半径方向外側において当該カートリッジケースの周壁を構成する合成樹脂製のフレーム部材と、を備え、前記上シェルまたは／および前記下シェルの、前記フレーム部材との当接部分に、前記フレーム部材側よりその反対側が大径であるボス孔と当該ボス孔に連続的に形成され前記フレーム部材との当接部分上で広がる補強溝とを形成し、前記ボス孔および前記補強溝内に、前記フレーム部材に形成されたボス部を変形させて充填し、前記上シェルまたは／および前記下シェルと前記フレーム部材とを固定したことを特徴とする。
【００１５】
ここで、上シェルまたは／および下シェルの、フレーム部材との当接部分とは、上シェルまたは下シェルの内側面で、フレーム部材の上面または下面とそれぞれ接している部分をいう。
【００１６】
このような記録ディスクカートリッジによれば、上シェルまたは／および下シェルの、フレーム部材との当接部分上に広がる補強溝をボス孔に連続的に形成することで、ボス孔自体を大きくすることなく、カシメに作用する面積を大きくできる。すなわち、フレーム部材の形状に合わせて補強溝を形成して、当接部分からカシメ部分が外れないようにしている。よって、金属プレートからなる上シェルまたは下シェルと合成樹脂材からなるフレーム部材との当接部分の面積が小さい場合でも、これらの接合強度を大きく確保することができる。また、補強溝を設けたことで、ボス部が回転しようとした場合、補強溝の側壁面で押さえることができるので、ねじれに対して強い構造となる。
【００１７】
前記した記録ディスクカートリッジにおいては、前記ボス孔は、前記フレーム部材から離反するに連れて拡径するテーパ部を有しており、前記補強溝は、前記テーパ部から離反するに連れて浅くなるように構成されたことが望ましい。
【００１８】
このような構成によれば、ボス部がカートリッジケースの表面から突出することなくカートリッジケースの表面を平坦に形成できるとともに、テーパ部から補強溝へのボス部の充填が行いやすくなる。
【００１９】
また、前記した記録ディスクカートリッジにおいては、前記ボス部は、加熱して押圧することで変形し、前記ボス孔および前記補強溝へ充填されたことが望ましい。
【００２０】
このように熱間カシメ処理によって、ボス部をボス孔および補強溝へ充填することで、ボス部をボス孔から遠くまで充填しやすくなり、補強溝の先端まで確実にボス部を充填させることができる。
【００２１】
さらに、前記した記録ディスクカートリッジにおいては、前記補強溝は、前記ボス孔からその径方向に延出する複数の直線状溝からなり、前記ボス孔と合わせて全体で平面視十字またはＴ字状を呈するように形成されたことが望ましい。
【００２２】
このような構成によれば、ねじれに対して一層強い構造とすることができるとともに、美観を向上させることもできる。
【発明の効果】
【００２３】
本発明によれば、金属プレートと合成樹脂材との当接部分の面積が小さい場合でも、接合強度を大きく確保することができるといった優れた効果を発揮する。
【発明を実施するための最良の形態】
【００２４】
本発明を実施するための最良の形態について図面を参照して詳細に説明する。参照する図面において、図１は、最良の一実施形態に係る記録ディスクカートリッジを示す斜視図であり、（ａ）は前方斜め上方から見た図、（ｂ）は後方斜め下方から見た図をそれぞれ示している。図２は、最良の一実施形態に係る記録ディスクカートリッジの分解斜視図である。図３は、最良の一実施形態に係るロータリシャッタを示す斜視図であり、（ａ）は前方斜め上方から見た図、（ｂ）は後方斜め下方から見た図である。図４は、最良の一実施形態に係る記録ディスクカートリッジを下方から見た平面図である。図５は、最良の一実施形態に係る記録ディスクカートリッジをドライブ装置に挿入した状態と挿入前の状態を示す斜視図である。図６は、最良の一実施形態に係る記録ディスクカートリッジの上シェルを示す上面図である。図７は、最良の一実施形態に係る記録ディスクカートリッジの下シェルを示す下面図である。図８は、図６および図７のＡ部を示す斜視図である。図９は、図８のＤ−Ｄ線断面図である。図１０は、図８のＥ−Ｅ線断面図である。図１１は、図６および図７のＢ部を示す斜視図である。
【００２５】
なお、本説明において方向を説明する場合は、図１に示す前、後、右、左、上、下、を基準として説明する。
【００２６】
≪記録ディスクカートリッジ１の構成≫
図１および図２に示すように、本実施形態に係る記録ディスクカートリッジ１は、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下側に配置されたハブ孔シャッタ４０と、を主に備えている。かかる記録ディスクカートリッジ１は、専用のドライブ装置Ｄ（図５参照）に前側から挿入されて使用される。
【００２７】
＜カートリッジケース１０＞
カートリッジケース１０は、図１に示すように、記録ディスクメディア３０を収容するための厚さの薄い箱状体である。カートリッジケース１０は、前端部１０ａが平面視で円弧（アーチ）状に形成されるとともに、後端部１０ｂ、右端部１０ｃおよび左端部１０ｄが平面視で略直線状に形成されている。なお、後端部１０ｂの中間部は、その両側に比して後側にやや膨らんでおり、記録ディスクカートリッジ１をドライブ装置Ｄから取り出す際に把持し易くなっている（図５参照）。
【００２８】
また、カートリッジケース１０は、その内部に収容された記録ディスクメディア３０を外部に臨ませるための、平面視でくさび形（中心角が略９０°の略扇形）に切り欠かれたアクセス用開口部１０１を有している。なお、このアクセス用開口部１０１は、ドライブ装置ＤのスイングアームＳＡ（図５参照）の動作に干渉しない形状となっている。
【００２９】
このようなカートリッジケース１０は、図２に示すように、互いに対向して配置される金属製の上シェル１１および下シェル１２と、この上シェル１１と下シェル１２との間に介在した合成樹脂製のフレーム部材１３と、を備えて構成されている。
【００３０】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートに打ち抜き加工、折り曲げ加工などを施すことで、所定の形状に形成されている。
【００３１】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、カートリッジケース１０のアクセス用開口部１０１が構成されている。
【００３２】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
【００３３】
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００３４】
さらに、上シェル１１は、その中央部に、ロータリシャッタ２０を回動可能に止め付けるためのセンタピン５０を係合する係合孔１１３を有している。
【００３５】
一方、下シェル１２は、その中央部に、記録ディスクメディア３０のハブ３２を外部に臨ませるハブ孔１２３を有している。記録ディスクカートリッジ１がドライブ装置Ｄに装着された際に、このハブ孔１２３を介して、ドライブ装置Ｄのスピンドル（図示省略）がハブ３２に係合するようになっている。
【００３６】
また、下シェル１２は、後記するロータリシャッタ２０のシャッタノブ２４の回動軌道に沿って形成されたガイド孔１２４と、ハブ孔シャッタ４０を軸支するため、内側（記録ディスクメディア３０側）に突出した２つの回動軸部１２５ａ，１２５ｂとを有している。
【００３７】
［フレーム部材１３］
フレーム部材１３は、図２に示すように、前端部１０ａの右寄り部分のアーチ状の周壁を構成するアーチ状フレーム１３１と、主に後端部１０ｂの周壁を構成するベースフレーム１３２と、左端部１０ｄの前側の周壁の一部を構成するＶノッチ部材１３３と、を備えて構成されている。
【００３８】
アーチ状フレーム１３１の内壁面１３１ａ（記録ディスクメディア３０側の面）は、ロータリシャッタ２０の外形に沿って円弧状に形成されている。アーチ状フレーム１３１の外壁面１３１ｂ（記録ディスクカートリッジ１の外側の面）は、カートリッジケース１０の前端部１０ａの外形に沿って円弧状に形成されている。また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３９】
ベースフレーム１３２の内壁面１３２ａ（記録ディスクメディア３０側の面）は、ロータリシャッタ２０の外形に沿って円弧状に形成されている。ベースフレーム１３２の外壁面１３２ｂ（記録ディスクカートリッジ１の外側の面）は、カートリッジケース１０の左右両端部１０ｃ，１０ｄおよび後端部１０ｂの形状に沿って略直線形状に形成されている。
【００４０】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００４１】
上シェル１１および下シェル１２と、フレーム部材１３との固定は、フレーム部材１３にボス部１５１を設けるとともに、上シェル１１および下シェル１２にボス用孔１５２を設け、ボス部１５１をボス用孔１５２に挿通させた状態でボス部１５１の先端のカシメを行うことにより行われている。
【００４２】
＜ロータリシャッタ２０＞
ロータリシャッタ２０は、アクセス用開口部１０１（図１参照）を開閉するためのシャッタであり、中空構造の略円盤形状に形成されている。ロータリシャッタ２０の中空部には、記録ディスクメディア３０が回転自在に収容されている（図３参照）。
【００４３】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。ロータリシャッタ２０は上シェル１１の中央部付近にセンタピン５０によって回動自在に固定されている。
【００４４】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
【００４５】
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００４６】
また、ロータリシャッタ２０は、図示しない付勢手段（例えば渦巻きばね）によって、閉方向（図４中、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４７】
このようなロータリシャッタ２０は、図２および図３に示すように、金属プレートからなる上シャッタ２１および下シャッタ２２と、これらの間に介在した合成樹脂製のシャッタウォール２３と、を備えて構成されている。
【００４８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。そして、切欠部２１１と切欠部２２１とで、前記したロータリシャッタ２０の切欠部２０１が構成されている。
【００４９】
また、上シャッタ２１は、その中央部に、前記したセンタピン５０を挿通させるための挿通孔２１２を有している。
【００５０】
下シャッタ２２は、その中央部に、記録ディスクメディア３０の後記するハブ３２を外部に臨ませるためのハブ孔２２２を有している。
【００５１】
下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００５２】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００５３】
さらにまた、下シャッタ２２は、その一部が上側に折り曲げ加工されることで一体に形成されたロック片７０を備えている。ロック片７０は、記録ディスクカートリッジ１の挿入前である通常時において、ロータリシャッタ２０を閉位置でロックするためのものである。
【００５４】
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００５５】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００５６】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００５７】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５８】
＜ライナ６０＞
図２に示すように、記録ディスクメディア３０と上シャッタ２１および下シャッタ２２との間には、不織布などからなるライナ６０がそれぞれ配置されている。ライナ６０は、記録ディスクメディア３０と、上シャッタ２１または下シャッタ２２とが擦れて、記録ディスクメディアに傷がつかないようにするためのものである。ライナ６０は、上シャッタ２１と下シャッタ２２の内面にそれぞれ接着固定されている。
【００５９】
＜記録ディスクメディア３０＞
記録ディスクメディア３０は、データを記録する記録媒体であり、第一実施形態では、図２に示すように、フレキシブルディスク３１と、このフレキシブルディスク３１を支持するハブ３２と、を備えて構成されている。
【００６０】
フレキシブルディスク３１は、例えば、ポリエステルシートなどからなる円盤状の支持体の両面に磁性層などの記録層を形成したものである。ハブ３２は、フレキシブルディスク３１を支持する金属製の円筒状部材である。ハブ３２は、上面にフレキシブルディスク３１の取り付け部（図示省略）を備えるとともに、下面にドライブ装置Ｄ（図５参照）のスピンドル（図示省略）にチャックされるチャック部３２１を備えている（図１（ｂ）参照）。
【００６１】
＜ハブ孔シャッタ４０＞
図２、図４および図５に示すように、ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００６２】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６３】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６４】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６５】
［ボス用孔］
ところで、本発明は、図８および図１１に示すように、上シェル１１または／および下シェル１２の、フレーム部材１３との当接部分１１６，１２６（図６および図７参照）に、フレーム部材１３側よりその反対側が大径であるボス孔１５３と当該ボス孔１５３に連続的に形成されフレーム部材１３との当接部分１１６，１２６上で広がる補強溝１５４とを備えて構成されるボス用孔１５２ａ，１５２ｂを形成し、ボス孔１５３および補強溝１５４内に、フレーム部材１３に形成されたボス部１５１（図９および図１０参照）を変形させて充填し、上シェル１１または／および下シェル１２とフレーム部材１３とを固定したことを特徴とする。
【００６６】
図６および図７に示すように、本実施の形態における、上シェル１１または／および下シェル１２の、フレーム部材１３との当接部分１１６，１２６とは、上シェル１１または下シェル１２の内側面で、フレーム部材１３の上面または下面とそれぞれ接している部分をいう。すなわち、当接部分１１６，１２６は、図６および図７中、各シェル１１，１２の縁端部と、破線にて示すフレーム部材１３（図２参照）の内周線で囲まれた部分であり、アーチ状フレーム１３１、ベースフレーム１３２およびＶノッチ部材１３３（図２参照）の外形形状と同等の形状となる。
【００６７】
本実施の形態では、上シェル１１および下シェル１２の両方に、ボス用孔１５２ａ，１５２ｂが形成されている。
【００６８】
図１０にも示すように、ボス孔１５３は、上シェル１１または下シェル１２に形成された断面円形の貫通孔であって、フレーム部材１３側から外側（上シェル１１の場合は上側、下シェル１２の場合は下側）へ離反するに連れて拡径するテーパ部１５５を有している。テーパ部１５５は、上シェル１１または下シェル１２の、板厚方向中間部から外側面に亘って形成されており、ボス孔１５３の板厚方向の外側半分は円錐台状を呈している。上シェル１１または下シェル１２の、板厚方向中間部から内側（フレーム部材１３側）面にかけては、同径に形成されており、ボス孔１５３の板厚方向の内側半分は円柱状を呈している。
【００６９】
補強溝１５４は、ボス部１５１のカシメを行う際に、カシメに作用する有効な孔の面積を大きくすることで、嵌合強度を大きくし、接合強度を大きく確保するためのものである。図８および図１１に示すように、補強溝１５４は、平面視でボス孔１５３の径方向に延びる方形を呈した直線状の溝であり、テーパ部１５５と連続的に繋がるように形成されている。補強溝１５４は、テーパ部１５５から離反するに連れて浅くなるように構成されており、テーパ部１５５から最も離れた最遠部で上シェル１１または下シェル１２の表面と面一となるように形成されている。なお、補強溝１５４の最遠部は、必ずしも上シェル１１または下シェル１２の表面と面一になっていなくてもよく、前記表面と段差があってもよい。補強溝１５４の底面は平面状に形成されており、上シェル１１または下シェル１２との表面に対して一定の角度を成すように形成されている。なお、補強溝１５４の底面は、必ずしも平面状になっていなくてもよく、曲面状や階段状など他の形状であってもよい。
【００７０】
本実施の形態では、上シェル１１または下シェル１２との当接面積が記録ディスクカートリッジ１の中では比較的大きいベースフレーム１３２を固定するためのボス用孔１５２ａ（図６および図７に示したＡ部参照）は、図８に示すように、平面視十字状を呈している。詳しくは、補強溝１５４は、長尺補強溝１５４ａと、短尺補強溝１５４ｂとで構成されている。長尺補強溝１５４ａおよび短尺補強溝１５４ｂは、ともに直線状溝にて構成され、ボス孔１５３の径方向に沿って放射状に配置されている。なお、長尺、短尺とは、長尺補強溝１５４ａが短尺補強溝１５４ｂと比較して、その長さ寸法が大きいということであり、特に寸法によって限定されるものではない。ボス孔１５３の周囲には、一対の長尺補強溝１５４ａと一対の短尺補強溝１５４ｂがそれぞれ形成されている。各長尺補強溝１５４ａは、上シェル１１または下シェル１２の外周エッジ（周端部）の延長方向に沿って、ボス孔１５３の軸心Ｌ（図９および図１０参照）を中心として対称的に形成されている。各短尺補強溝１５４ｂは、長尺補強溝１５４ａの延長方向と直交する方向で、外周エッジ側およびその反対側に延びるように、それぞれ形成されている。短尺補強溝１５４ｂも、ボス孔１５３の軸心Ｌと直交する同一の直線上に、軸心Ｌ（図９および図１０参照）を中心として対称的に形成されている。
【００７１】
上シェル１１または下シェル１２との当接面積がベースフレーム１３２の次に大きいアーチ状フレーム１３１を固定するためのボス用孔１５２ｂ（図６および図７に示したＢ部参照）は、図１１に示すように、平面視Ｔ字状を呈している。詳しくは、ボス孔１５３の周囲には、一対の長尺補強溝１５４ａと一つの短尺補強溝１５４ｂがそれぞれ形成されている。各長尺補強溝１５４ａは、上シェル１１または下シェル１２の外周エッジ（周端部）の延長方向に沿って、ボス孔１５３の軸心Ｌ（図９および図１０参照）を中心として対称的に形成されている。短尺補強溝１５４ｂは、長尺補強溝１５４ａの延長方向と直交する方向で、外周エッジ側の反対側に延びるように形成されている。
【００７２】
図８および図１１に示すように、ボス用孔１５２ａ，１５２ｂにおいては、ボス孔１５３のテーパ部１５５から連続的に複数の補強溝１５４を形成しているが、各補強溝１５４間にはテーパ部１５５が必ず形成されるように構成されている。そして、補強溝１５４の幅方向両側に形成される側壁面１５４ｓと、ボス孔１５３の周方向に延びるテーパ部１５５とは、交差するようになっている。
【００７３】
長尺補強溝１５４ａおよび短尺補強溝１５４ｂの長さ寸法および幅寸法は、上シェル１１または下シェル１２とフレーム部材１３との当接部分１１６，１２６の範囲内で、必要な設計強度に応じて適宜決定される。したがって、全ての補強溝１５４を、長尺補強溝１５４ａで構成したり、短尺補強溝１５４ｂで構成したりしてもよいのは勿論である。
【００７４】
なお、Ｖノッチ部材１３３を固定するためのボス用孔１５２ｃ（図６および図７に示したＣ部参照）は、テーパ部１５５を有するボス孔１５３のみで構成されており、補強溝１５４は形成されていない。Ｖノッチ部材１３３は、上シェル１１または下シェル１２との当接面積が小さく補強溝１５４を形成するのが困難であるが、Ｖノッチ部材１３３は小さい部材であるので、必要な嵌合強度は他の部分と比較して小さく、ボス孔１５３のみのボス用孔１５２ｃであっても必要な嵌合強度を得ることができるので問題はない。
【００７５】
フレーム部材１３に形成されたボス部１５１は、ボス孔１５３の最小径部と略同等の径を有する円柱状を呈しており、上シェル１１または下シェル１２の板厚寸法よりも大きい高さを有している。ボス部１５１の高さは、上シェル１１または下シェル１２の表面から突出する部分の体積が、ボス孔１５３のテーパ部１５５の拡径部と各補強溝１５４の体積（ボス用孔１５２ｃに挿通されるボス部１５１は、テーパ部１５５の拡径部の体積のみ）と同等となるように決定される。
【００７６】
ボス部１５１のカシメを行うに際しては、ボス部１５１を、ボス用孔１５２内に挿通した後、表面が平面状の加熱装置１５７によって加熱して押圧することで変形させ、ボス孔１５３および補強溝１５４へ流し込むように充填する、いわゆる熱間カシメ処理を施すようになっている。
【００７７】
≪記録ディスクカートリッジ１の作用効果≫
次に、前記構成の記録ディスクカートリッジ１の作用効果について説明する。まず、ロータリシャッタ２０およびハブ孔シャッタ４０の動作について、図５を主に参照して説明し、その後、前記ボス用孔１５２による作用効果について説明する。
【００７８】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。なお、このようにロータリシャッタ２０が閉位置に配置される場合、シャッタノブ２４は、下シェル１２のガイド孔１２４の前方に位置する。
【００７９】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４中、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４中、矢印Ａ２参照）。
【００８０】
そうすると、シャッタノブ２４が固定されたロータリシャッタ２０は、カートリッジケース１０内でセンタピン５０を軸として回動する（図４中、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００８１】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
【００８２】
なお、このようにロータリシャッタ２０が開位置に配置される場合、ロータリシャッタ２０に固定されたシャッタノブ２４は、下シェル１２のガイド孔１２４の後方に位置する。
【００８３】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００８４】
＜ハブ孔シャッタ４０の動作＞
次に、このようなロータリシャッタ２０の動作に連動するハブ孔シャッタ４０について説明する。
【００８５】
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００８６】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４中、矢印Ａ４，Ａ４参照）。
【００８７】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４中、矢印Ａ５参照）。また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４中、矢印Ａ５参照）。
【００８８】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００８９】
なお、記録ディスクカートリッジ１がドライブ装置Ｄから取り出されると、閉位置に戻るロータリシャッタ２０に連動して、ハブ孔シャッタ４０は隙間Ｓを閉じる。
【００９０】
［ボス用孔１５２の作用効果］
本実施の形態のように、ボス用孔１５２ａ，１５２ｂを、ボス孔１５３と、ボス孔１５３に連続的に形成された補強溝１５４とで構成したことによって、ボス孔１５３自体を大きくすることなく、カシメに作用する面積を大きくできる。したがって、金属プレートからなる上シェル１１または下シェル１２と、合成樹脂材からなるフレーム部材１３との当接部分１１６，１２６の面積が小さくてボス孔１５３を大きく形成できない場合でも、嵌合強度が大きくなり、上シェル１１または下シェル１２と、フレーム部材１３との接合強度を大きく確保することができる。また、補強溝１５４は直線状に形成されているので、その加工が行いやすい。
【００９１】
ボス孔１５３は、テーパ部１５５を有しており、補強溝１５４は、テーパ部１５５から離反するに連れて浅くなるように構成されているので、ボス部１５１をテーパ部１５５と補強溝１５４内に充填させることで、ボス部１５１がカートリッジケース１０の表面から突出することがなく、規格寸法からはみ出すのを防止できる。また、ボス部１５１の高さが、テーパ部１５５の拡径部と各補強溝１５４の体積に応じて決定されているので、各シェル１１，１２とボス部１５１の表面を面一で平坦に形成することができ、記録ディスクカートリッジ１の美観を向上させることができる。
【００９２】
ボス用孔１５２ａは、平面視十字状に形成され、一対の長尺補強溝１５４ａおよび一対の短尺補強溝１５４ｂは、それぞれ対称的に配置されているので、強度的なバランスがよく、さらに美観を向上させることができる。ボス用孔１５２ｂは、平面視Ｔ字状に形成され、一対の長尺補強溝１５４ａは、対称的に配置され、短尺補強溝１５４ｂは長尺補強溝１５４ａに直交する方向に形成されているので、強度的なバランスがよく、さらに美観を向上させることができる。
【００９３】
短尺補強溝１５４ｂを、上シェル１１または下シェル１２の外周エッジに直交する方向に形成したことで、ボス用孔１５２を外周エッジの近傍に形成することができ、上シェル１１または下シェル１２の周端部がフレーム部材１３から浮き上がるのを防止している。また、長尺補強溝１５４ａを、上シェル１１または下シェル１２の外周エッジに沿って形成しているので、設計強度に応じて必要な長さを確保することができる。
【００９４】
ボス孔１５３のテーパ部１５５から連続的に径方向に延びる補強溝１５４を形成し、隣り合う補強溝１５４間にはテーパ部１５５が必ず形成されるように構成されているので、ボス部１５１が回転しようとする力に対抗できる。すなわち、充填されたボス部１５１がテーパ部１５５に沿って回転しようとしても、補強溝１５４に流れ込んだ部分が側壁面１５４ｓに当接して、回転を防止できる。これによって、上シェル１１または下シェル１２とフレーム部材１３との相対回転を防止できるので、カートリッジケース１０が確実に一体化され、記録ディスクカートリッジ１を、ねじれに対して強い構造とすることができる。
【００９５】
補強溝１５４は、上シェル１１または下シェル１２とフレーム部材１３との当接部分１１６，１２６上で広がるように形成されているので、カシメを行う際に、前記当接部分１１６，１２６からカシメ部分が外れることはない。これによって、カシメ時の圧力をフレーム部材で受けることができ、上シェル１１または下シェル１２に歪が発生するのを防止している。
【００９６】
また、補強溝１５４が徐々に浅くなるので、先端部分までボス部１５１が流れ込みやすく充填しやすい。さらにボス部１５１は、熱間カシメ処理によって、ボス用孔１５２内でカシメが行われるので、カシメ時に流動性を備え、補強溝１５４の先端部まで確実に充填できる。そして、補強溝１５４間には、テーパ部１５５が位置しているので、加熱されたボス部１５１は、一旦、テーパ部１５５を流れて全周に行き渡り、全ての補強溝１５４に流れ込むので、偏って充填されることはない。
【００９７】
ボス孔１５３は、テーパ部１５５が板厚方向中間部から外側に形成されているので、板厚方向中間部から内側では、所定の板厚を確保することができる。したがって、カシメ時に上シェル１１または下シェル１２が変形したり破損したりするのを防止することができる。
【００９８】
以上、本発明を実施するための形態について説明したが、本発明は、前記実施形態に限定されず、本発明の趣旨を逸脱しない範囲で適宜設計変更が可能である。例えば、前記実施形態では、ボス用孔１５２は、平面視十字あるいはＴ字状を呈しているが、これに限られるものではない。例えば、ボス孔から二つの補強溝が直線状に形成される形状や、ボス孔から三つあるいは五つ以上の補強溝が等角度ピッチで形成される形状であってもよい。
【００９９】
また、前記実施の形態では、上シェル１１と下シェル１２の両方に、補強溝１５４を備えたボス用孔１５２ａ，１５２ｂを形成しているが、上シェルまたは下シェルのいずれか一方に、補強溝を備えたボス用孔を形成するようにしてもよい。このような構造によれば、一方のシェルとフレーム部材とを強固に接合できるので、一体的に固定された一方のシェルとフレーム部材とでねじれに対抗できる。その結果、カートリッジケースにねじれが発生せず、他方のシェルのボス用孔は従来のボス孔のみの形状であっても、カートリッジケースは変形しない。
【０１００】
さらに、本発明は、記録ディスクカートリッジ１のカートリッジケース１０における上シェル１１または下シェル１２とフレーム部材１３との接合に限られるものではなく、ロータリシャッタ２０の上シャッタ２１または下シャッタ２２と、シャッタウォール２３との接合に適応できるのは勿論である。さらに、本発明は、汎用性を備えており、他の一般的な部品同士の接合であって、金属プレートと合成樹脂材との当接部分の面積が小さい場合のカシメにおいても、接合強度を大きく確保することができる。
【図面の簡単な説明】
【０１０１】
【図１】最良の一実施形態に係る記録ディスクカートリッジを示す斜視図であり、（ａ）は前方斜め上方から見た図、（ｂ）は後方斜め下方から見た図である。
【図２】最良の一実施形態に係る記録ディスクカートリッジの分解斜視図である。
【図３】最良の一実施形態に係るロータリシャッタを示す斜視図であり、（ａ）は前方斜め上方から見た図、（ｂ）は後方斜め下方から見た図である。
【図４】最良の一実施形態に係る記録ディスクカートリッジを下方から見た平面図である。
【図５】最良の一実施形態に係る記録ディスクカートリッジをドライブ装置に挿入した状態と挿入前の状態を示す斜視図である。
【図６】最良の一実施形態に係る記録ディスクカートリッジの上シェルを示す上面図である。
【図７】最良の一実施形態に係る記録ディスクカートリッジの下シェルを示す下面図である。
【図８】図６および図７のＡ部を示す斜視図である。
【図９】図８のＤ−Ｄ線断面図である。
【図１０】図８のＥ−Ｅ線断面図である。
【図１１】図６および図７のＢ部を示す斜視図である。
【図１２】従来の記録ディスクカートリッジを示す斜視図であり、（ａ）は前方斜め上方から見た図、（ｂ）は後方斜め下方から見た図である。
【符号の説明】
【０１０２】
１      記録ディスクカートリッジ
１０    カートリッジケース
１１    上シェル
１２    下シェル
１３    フレーム部材
２０    ロータリシャッタ
２１    上シャッタ
２２    下シャッタ
３０    記録ディスクメディア
１０１  アクセス用開口部
１１１  アクセス用開口部
１１６  当接部分
１２１  アクセス用開口部
１２６  当接部分
１５１  ボス部
１５３  ボス孔
１５４  補強溝
１５５  テーパ部
【図１】
2007149154.tif 000003
【図２】
2007149154.tif 000004
【図３】
2007149154.tif 000005
【図４】
2007149154.tif 000006
【図５】
2007149154.tif 000007
【図６】
2007149154.tif 000008
【図７】
2007149154.tif 000009
【図８】
2007149154.tif 000010
【図９】
2007149154.tif 000011
【図１０】
2007149154.tif 000012
【図１１】
2007149154.tif 000013
【図１２】
2007149154.tif 000014